(57)【要約】【課題】歯の動揺度を調べる経験を提供することが可能な歯科模型を提供すること。【解決手段】歯冠部３１及び歯根部３２を有する模型歯３０と、歯槽骨歯根配置穴１０Ａを有する歯槽骨部１０と、を備え、歯槽骨歯根配置穴１０Ａは、歯槽骨穴内壁１０１及び歯槽骨穴底部１０２から形成されており、歯根部３２は歯槽骨歯根配置穴１０Ａに配置されており、模型歯３０は歯槽骨部１０に対して動揺可能である歯科模型。また、歯根部３２は、歯根底部３２２を有しており、歯根底部３２２と歯槽骨穴底部１０２とは離間しており、歯根底部３２２と歯槽骨穴底部１０２との間には、第１弾性部材Ｓが配置されており、歯根底部３２２と歯槽骨穴底部１０２との距離が変化するように第１弾性部材Ｓが変形可能に構成されることによって、模型歯３０は歯槽骨部１０に対して動揺可能である。【選択図】図６
2016142815.tif 000002
【特許請求の範囲】
【請求項１】
歯冠部及び歯根部を有する模型歯と、
歯槽骨歯根配置穴を有する歯槽骨部と、を備え、
前記歯槽骨歯根配置穴は、歯槽骨穴内壁及び歯槽骨穴底部から形成されており、
前記歯根部は前記歯槽骨歯根配置穴に配置されており、
前記模型歯は前記歯槽骨部に対して動揺可能である歯科模型。
【請求項２】
前記歯根部は、前記歯槽骨穴内壁に対向する歯根部側面を有しており、前記歯根部側面は前記歯槽骨穴内壁から離間しており、
前記歯根部側面と前記歯槽骨穴内壁との距離が変化可能に構成されていることによって、前記模型歯は前記歯槽骨部に対して動揺可能である請求項１に記載の歯科模型。
【請求項３】
前記歯根部は、歯根底部を有しており、前記歯根底部と前記歯槽骨穴底部とは離間しており、前記歯根底部と前記歯槽骨穴底部との間には、第１弾性部材が配置されており、前記歯根底部と前記歯槽骨穴底部との距離が変化するように第１弾性部材が変形可能に構成されることによって、前記模型歯は前記歯槽骨部に対して動揺可能である請求項１又は請求項２のいずれかに記載の歯科模型。
【請求項４】
前記第１弾性部材はバネである請求項３に記載の歯科模型。
【請求項５】
前記歯槽骨穴内壁には、第２弾性部材が配置されており、
歯肉部歯根配置穴を有する歯肉部であって、前記歯肉部歯根配置穴は歯肉穴内壁から形成されており、前記歯槽骨歯根配置穴と前記歯肉部歯根配置穴とが互いに連通し、前記歯槽骨部を覆うように配置される歯肉部を備えており、前記歯根部は、前記歯槽骨歯根配置穴及び前記歯肉部歯根配置穴にまたがって配置されている請求項１から請求項４のいずれかに記載の歯科模型。
【請求項６】
前記歯肉穴内壁には、歯周ポケットを模した歯周ポケット部が形成されている請求項５に記載の歯科模型。
【請求項７】
前記歯肉部と前記歯槽骨部の間に配置されており、第３弾性部材歯根配置穴を有する第３弾性部材であって、前記第３弾性部材歯根配置穴は第３弾性部材穴内壁から形成されており、前記第３弾性部材歯根配置穴が前記歯槽骨歯根配置穴及び前記歯肉部歯根配置穴と連通するように前記歯槽骨部に配置される第３弾性部材を更に備え、前記歯根部は、前記歯槽骨歯根配置穴、前記歯肉部歯根配置穴及び前記第３弾性部材歯根配置穴にまたがって配置され、前記歯根部と前記第３弾性部材穴内壁とは密着している請求項６に記載の歯科模型。
【発明の詳細な説明】
【技術分野】
【０００１】
本発明は、歯科模型に関する。
【背景技術】
【０００２】
従来、歯科教育機関（歯科大学、衛生士学校等）等において、実習者が歯科治療の実習訓練を行う際、歯科模型が使用されている。歯科模型は、歯槽骨部、歯肉部、模型歯等で構成される。歯科模型は、歯槽骨、歯肉、歯を含む人間の顎部（下顎及び／又は上顎部）を模擬したものである。
【０００３】
実習者が歯科治療の実習訓練を行う際に使用される歯科模型として、病的な部分を有する顎部を模擬したものが知られている（例えば、特許文献１及び特許文献２参照。）。特許文献１及び特許文献２の歯科模型は、歯周病を患った顎部を模擬しており、歯肉部に歯周ポケットを模した歯周ポケット部が設けられている。
【先行技術文献】
【特許文献】
【０００４】
【特許文献１】特開２００８−３１０２７６号公報
【特許文献２】特開２００７−２１３００２号公報
【発明の概要】
【発明が解決しようとする課題】
【０００５】
ところで、歯科治療の現場では、歯牙の動揺度を調べることによって、歯槽骨、歯肉、歯等の病状を判断する手法が採用されることがある。歯の動揺度とは、歯が歯槽骨に対して動く程度を意味する用語である。例えば、歯周病の進行度を判断する基準として、歯の動揺度が採用されている。
【０００６】
そのため、歯科治療の実習訓練において、実習者は歯の動揺度を調べる体験をする必要がある。よって、歯科治療の実習訓練の場では、歯の動揺度を調べる経験を提供することが可能な歯科模型が求められている。
【０００７】
また、歯にブラケットという装置を取り付け、そこに弓形をしたワイヤーを通して歯を動かす歯科矯正治療が行われることもある。この歯科矯正治療においては、治療を行う者は、ブラケットに通したワイヤーが元の形に戻ろうとする力を利用して、歯を動揺させる。作業者は、ワイヤーの強さや形を調整しながら、少しずつ歯を動かす。そのため、歯科治療の実習訓練以外にも、歯の動揺度を調べる経験を提供することが可能な歯科模型が求められている。
【０００８】
本発明は、歯の動揺度を調べる経験を提供することが可能な歯科模型を提供することを目的とする。
【課題を解決するための手段】
【０００９】
本発明は、歯冠部及び歯根部を有する模型歯と、歯槽骨歯根配置穴を有する歯槽骨部と、を備え、前記歯槽骨歯根配置穴は、歯槽骨穴内壁及び歯槽骨穴底部から形成されており、前記歯根部は前記歯槽骨歯根配置穴に配置されており、前記模型歯は前記歯槽骨部に対して動揺可能である歯科模型に関する。
【００１０】
また、前記歯根部は、前記歯槽骨穴内壁に対向する歯根部側面を有しており、前記歯根部側面は前記歯槽骨穴内壁から離間しており、前記歯根部側面と前記歯槽骨穴内壁との距離が変化可能に構成されていることによって、前記模型歯は前記歯槽骨部に対して動揺可能であることが好ましい。
【００１１】
また、前記歯根部は、歯根底部を有しており、前記歯根底部と前記歯槽骨穴底部とは離間しており、前記歯根底部と前記歯槽骨穴底部との間には、第１弾性部材が配置されており、前記歯根底部と前記歯槽骨穴底部との距離が変化するように第１弾性部材が変形可能に構成されることによって、前記模型歯は前記歯槽骨部に対して動揺可能であることが好ましい。
【００１２】
また、前記第１弾性部材はバネであることが好ましい。
【００１３】
また、前記歯槽骨穴内壁には、第２弾性部材が配置されており、歯肉部歯根配置穴を有する歯肉部であって、前記歯肉部歯根配置穴は歯肉穴内壁から形成されており、前記歯槽骨歯根配置穴と前記歯肉部歯根配置穴とが互いに連通し、前記歯槽骨部を覆うように配置される歯肉部を備えており、前記歯根部は、前記歯槽骨歯根配置穴及び前記歯肉部歯根配置穴にまたがって配置されていることが好ましい。
【００１４】
また、前記歯肉穴内壁には、歯周ポケットを模した歯周ポケット部が形成されていることが好ましい。
【００１５】
また、前記歯肉部と前記歯槽骨部の間に配置されており、第３弾性部材歯根配置穴を有する第３弾性部材であって、前記第３弾性部材歯根配置穴は第３弾性部材穴内壁から形成されており、前記第３弾性部材歯根配置穴が前記歯槽骨歯根配置穴及び前記歯肉部歯根配置穴と連通するように前記歯槽骨部に配置される第３弾性部材を更に備え、前記歯根部は、前記歯槽骨歯根配置穴、前記歯肉部歯根配置穴及び前記第３弾性部材歯根配置穴にまたがって配置され、前記歯根部と前記第３弾性部材穴内壁とは密着していることが好ましい。
【発明の効果】
【００１６】
本発明によれば、歯の動揺度を調べる経験を提供することが可能な歯科模型を提供することができる。
【図面の簡単な説明】
【００１７】
【図１】本発明の第１実施形態に係る歯科模型１の全体斜視図である。
【図２】図１の分解斜視図である。
【図３】図１のＡ−Ａ断面図である。
【図４】図３の分解図である。
【図５】歯周ポケットの深さを読み取る様子を示す図である。
【図６】本発明の第２実施形態の歯科模型１Ａの断面図である。
【発明を実施するための形態】
【００１８】
［第１実施形態］
以下、本発明の第１実施形態について、図面を参照しながら説明する。図１は、本発明の第１実施形態に係る歯科模型１の全体斜視図である。図２は、図１の分解斜視図である。図３は、図１のＡ−Ａ断面図である。図４は、図３の分解図である。
【００１９】
図１及び図２に示すように、歯科模型１は、歯槽骨部１０と、第３弾性部材２１と、歯肉部２２と、１４本（複数本）の模型歯３０と、を備える。歯科模型１は、人間の下顎部を模擬したものである。
【００２０】
以下の説明において、１４本の模型歯３０によって形成される列のことを歯列Ｔということがある。
また、以下の説明において、歯槽骨部１０から模型歯３０に向かう方向を上方向Ｄ１とし、上方向Ｄ１と反対の方向を下方向Ｄ２とし、上方向Ｄ１及び下方向Ｄ２に略直交し、歯列Ｔの内側（人間の下顎部であれば、舌がある側。舌側。）に向かう方向を舌側方向Ｄ３とし、舌側方向Ｄ３と反対の方向であって、歯列Ｔの外側（人間の下顎部であれば、唇がある側。唇側。）に向かう方向を唇側方向Ｄ４とし、上方向Ｄ１、下方向Ｄ２、舌側方向Ｄ３及び唇側方向Ｄ４に略直交する方向を近遠心方向Ｄ５とする。
【００２１】
図２〜図４に示すように、歯槽骨部１０は、歯槽骨穴内壁１０１と、歯槽骨穴底部としての歯槽骨穴底壁１０２と、歯槽骨上壁１０３と、歯槽骨外壁１０４と、を有する。歯槽骨上壁１０３には、１４個（複数個）の歯槽骨歯根配置穴１０Ａが形成されている。これらの歯槽骨歯根配置穴１０Ａは、歯列Ｔに沿って形成されている。それぞれの歯槽骨歯根配置穴１０Ａは、歯槽骨穴内壁１０１及び歯槽骨穴底壁１０２から形成される穴である。
【００２２】
歯槽骨穴内壁１０１の全面には、第２弾性部材としての弾性層１０５が形成されている。弾性層１０５は、歯槽骨部１０の材料よりも柔らかい材料で形成されている。第３弾性部材は、ゴム、軟質ウレタン樹脂、軟質エポキシ樹脂、チオコールラバー、不飽和ポリエステル樹脂、エラストマー、ナイロン、フッ素樹脂（PTFE）、形状記憶合金等で形成されている。また、歯槽骨穴内壁１０１の舌側方向Ｄ３側には、係合凸部１０１Ａが設けられている。係合凸部１０１Ａは、唇側方向Ｄ４に突出している。
【００２３】
図２〜図４に示すように、歯槽骨部１０と歯肉部２２との間には、第３弾性部材２１が配置されている。
第３弾性部材２１は、第３弾性部材上壁２１１と、第３弾性部材下壁２１２と、第３弾性部材穴内壁２１３と、を有する。第３弾性部材２１は、下方向Ｄ２に視て、歯列Ｔに沿ったＵ字状の形状をした部材である。第３弾性部材２１には、１４個（複数個）の第３弾性部材歯根配置穴２１Ａが形成されている。これらの第３弾性部材歯根配置穴２１Ａは、歯列Ｔに沿って形成されている。それぞれの第３弾性部材歯根配置穴２１Ａは、第３弾性部材穴内壁２１３から形成される貫通穴である。
【００２４】
第３弾性部材２１は、第３弾性部材歯根配置穴２１Ａと歯槽骨歯根配置穴１０Ａとが連通するように、歯槽骨上壁１０３の上に配置される。図３及び図４に示すように、下方向Ｄ２に視た第３弾性部材歯根配置穴２１Ａの大きさは、下方向Ｄ２に視た歯槽骨歯根配置穴１０Ａの大きさよりも小さくされている。
【００２５】
第３弾性部材下壁２１２の形状は、歯槽骨上壁１０３の形状に略等しい。そのため、第３弾性部材２１が歯槽骨上壁１０３に配置されると、第３弾性部材下壁２１２と歯槽骨上壁１０３は密着する。よって、第３弾性部材２１は、歯槽骨上壁１０３に密着して配置される。
【００２６】
歯肉部２２は、歯肉部表面２２１と、歯肉部裏面２２２と、歯肉部穴内壁２２３と、を有する。歯肉部２２には、１４個（複数個）の歯肉部歯根配置穴２２Ａが形成される。これらの歯肉部歯根配置穴２２Ａは、歯列Ｔに沿って形成されている。それぞれの歯肉部歯根配置穴２２Ａは、歯肉部穴内壁２２３から形成される貫通穴である。歯肉部穴内壁２２３には、歯周ポケットを模した歯周ポケット部としての歯周ポケット凹部２２４が形成されている。歯周ポケット凹部２２４は、歯肉部穴内壁２２３の舌側方向Ｄ３側と唇側方向Ｄ４側に設けられている。
【００２７】
歯肉部２２は、歯肉部歯根配置穴２２Ａが歯槽骨歯根配置穴１０Ａ及び第３弾性部材歯根配置穴２１Ａと連通するように、且つ歯槽骨部１０及び第３弾性部材２１を覆うように、歯槽骨部１０及び第３弾性部材２１の上に配置される。図３及び図４に示すように、下方向Ｄ２に視た歯肉部歯根配置穴２２Ａの大きさは、下方向Ｄ２に視た第３弾性部材歯根配置穴２１Ａの大きさとほぼ同じであり、且つ、歯槽骨歯根配置穴１０Ａの大きさよりも小さくされている。
【００２８】
歯肉部表面２２１の形状は、人間の歯肉表面の形状を模した形状となっている。
歯肉部裏面２２２の形状は、歯槽骨外壁１０４の形状に略等しい。そのため、歯肉部裏面２２２が歯槽骨外壁１０４及び第３弾性部材２１に配置されると、歯肉部裏面２２２と歯槽骨外壁１０４は密着する。よって、歯肉部２２は、歯槽骨外壁１０４に密着して配置される。
【００２９】
第３弾性部材２１及び歯肉部２２は、可撓性部材で形成されている。可撓性部材としては、例えば、ゴム、軟質ウレタン樹脂、軟質エポキシ樹脂、チオコールラバー、不飽和ポリエステル樹脂、エラストマー、ナイロン、フッ素樹脂（PTFE）、形状記憶合金等が挙げられる。また、第３弾性部材２１は、歯肉部２２よりも硬い部材で形成されている。
【００３０】
図２に示すように、１４本の模型歯３０は、それぞれ、歯冠部３１及び歯根部３２を有する。歯冠部３１及び歯根部３２の形状は、人間の歯冠及び歯根の形状を模した形状である。そのため、模型歯３０の形状は、全体として、人間の歯の形状を模した形状になっている。
【００３１】
図３及び図４に示すように、歯根部３２は、歯根部側面３２１と、歯根底部としての歯根部底面３２２と、を有している。歯根部側面３２１は、上方向Ｄ１側の歯根部上側面３２１Ａと、下方向Ｄ２側の歯根部下側面３２１Ｂと、で構成されている。歯根部下側面３２１Ｂの舌側方向Ｄ３側には、係合凸部１０１Ａに対応する係合凹部３２１Ｃが設けられている。
【００３２】
図３及び図４に示すように、歯根部３２は、互いに連通する歯槽骨歯根配置穴１０Ａ、歯肉部歯根配置穴２２Ａ及び第３弾性部材歯根配置穴２１Ａに挿入される。その結果、歯根部３２は、歯槽骨歯根配置穴１０Ａ、歯肉部歯根配置穴２２Ａ及び第３弾性部材歯根配置穴２１Ａにまたがって配置される。より具体的には、歯根部下側面３２１Ｂが歯槽骨歯根配置穴１０Ａに配置され、歯根部上側面３２１Ａが歯肉部歯根配置穴２２Ａ及び第３弾性部材歯根配置穴２１Ａに配置される。
【００３３】
歯根部下側面３２１Ｂは、全周に渡って歯槽骨穴内壁１０１と対向している。また、歯根部下側面３２１Ｂは、全周に渡って歯槽骨穴内壁１０１から離間している。歯根部下側面３２１Ｂによって規定される形状と、歯槽骨穴内壁１０１によって規定される形状とは略相似形であり、且つ、歯根部側面３２１によって規定される形状は、歯槽骨穴内壁１０１によって規定される形状よりも小さい。
【００３４】
そのため、模型歯３０に舌側方向Ｄ３、唇側方向Ｄ４及び近遠心方向Ｄ５のいずれかの１つ以上の方向成分の力が加えられると、模型歯３０は、力が加えられた方向に動く。よって、模型歯３０は、歯槽骨歯根配置穴１０Ａ内において、歯槽骨部１０に対して動揺可能である。
【００３５】
ここで、力が加えられた方向に模型歯３０が動くと、歯根部下側面３２１Ｂと歯槽骨穴内壁１０１との距離が変化する。すなわち、模型歯３０は、歯根部下側面３２１Ｂと歯槽骨穴内壁１０１との距離が変化可能に構成されていることになる。よって、歯科模型１は、歯根部下側面３２１Ｂと歯槽骨穴内壁１０１との距離が変化するように構成されていることによって、模型歯３０は歯槽骨部１０に対して動揺可能なものであるといえる。
【００３６】
なお、「動揺可能」とは、模型歯３０が動かされた場合に、歯冠部３１の上方向Ｄ１側先端である歯冠部先端３１Ａの位置が０．２ｍｍ以上変化することが可能であることを意味する。歯冠部先端３１Ａの位置が変化する方向は、上方向Ｄ１、下方向Ｄ２、舌側方向Ｄ３、唇側方向Ｄ４、近遠心方向Ｄ５、その他の方向のいずれの方向であっても良い。模型歯３０が動かされた場合に、歯冠部先端３１Ａの位置がいずれかの方向に０．２ｍｍ以上変化することが可能であれば、模型歯３０は動揺可能であるといえる。例えば、第１実施形態の歯科模型１においては、模型歯３０は、少なくとも舌側方向Ｄ３、唇側方向Ｄ４及び近遠心方向Ｄ５に動揺可能である。
【００３７】
上述したように、下方向Ｄ２に視た第３弾性部材歯根配置穴２１Ａの大きさは、下方向Ｄ２に視た歯槽骨歯根配置穴１０Ａの大きさよりも小さくされている。そして、歯根部上側面３２１Ａは、全周に渡って、隙間無く第３弾性部材穴内壁２１３と密着している。
【００３８】
また、上述したように、下方向Ｄ２に視た歯肉部歯根配置穴２２Ａの大きさは、下方向Ｄ２に視た第３弾性部材歯根配置穴２１Ａの大きさとほぼ同じであり、且つ、歯槽骨歯根配置穴１０Ａの大きさよりも小さくされている。そして、歯根部上側面３２１Ａは、歯周ポケット凹部２２４を除き、全周に渡って歯肉部穴内壁２２３に密着している。
【００３９】
歯根部底面３２２は、歯槽骨穴底壁１０２に対向している。歯根部底面３２２は、歯槽骨穴底壁１０２に接触している。
【００４０】
実習者は、歯科模型１を使用して、以下の（１）〜（２）の体験をすることが可能である。実習者の体験について、図面を参照しながら説明する。図５は、歯周ポケットの深さを読み取る様子を示す図である。
【００４１】
（１）歯の動揺度を検査する体験
実習者は、模型歯３０の歯冠部３１をピンセット（図示せず）で掴み、舌側方向Ｄ３、唇側方向Ｄ４、近遠心方向Ｄ５に力を加える。
【００４２】
実習者が模型歯３０に対して舌側方向Ｄ３成分の力を加えると、模型歯３０は、歯根部下側面３２１Ｂと歯槽骨穴内壁１０１との距離が変化するように動く。そして、歯根部下側面３２１Ｂの一部が、舌側方向Ｄ３側の歯槽骨穴内壁１０１に形成された弾性層１０５に当たり、模型歯３０の動きは止まる。
【００４３】
実習者が模型歯３０に対して唇側方向Ｄ４成分の力を加えると、模型歯３０は、歯根部下側面３２１Ｂと歯槽骨穴内壁１０１との距離が変化するように動く。そして、歯根部下側面３２１Ｂの一部が、唇側方向Ｄ４側の歯槽骨穴内壁１０１に形成された弾性層１０５に当たり、模型歯３０の動きは止まる。
【００４４】
なお、第３弾性部材２１の第３弾性部材穴内壁２１３は、歯根部上側面３２１Ａに密着している。しかし、第３弾性部材２１は、可撓性部材で形成されるため、模型歯３０の動きに応じて変形する。また、歯肉部２２の歯肉部穴内壁２２３は、歯根部上側面３２１Ａに密着している。しかし、第３弾性部材２１は、可撓性部材で形成されるため、模型歯３０の動きに応じて変形する。そのため、第３弾性部材２１及び歯肉部２２が模型歯３０の動きを阻害することはない。また、弾性層１０５や第３弾性部材２１の材質が樹脂の場合、樹脂材質の硬さを調整することによって、模型歯３０の動揺度を変化させることも可能である。
【００４５】
上述した模型歯３０の動きにおいて、歯冠部先端３１Ａの位置は、０．２ｍｍ以上変化する。よって、模型歯３０は、歯槽骨歯根配置穴１０Ａ内において、歯槽骨部１０に対して動揺しているといえる。
【００４６】
以上説明したように、歯根部下側面３２１Ｂは、全周に渡って歯槽骨穴内壁１０１から離間しているため、実習者は、歯槽骨歯根配置穴１０Ａ内において、歯根部下側面３２１Ｂと歯槽骨穴内壁１０１との距離が変化するように模型歯３０を動かすことができる。すなわち、歯根部下側面３２１Ｂと歯槽骨穴内壁１０１との距離が変化するように模型歯３０が動かされることによって、模型歯３０は歯槽骨部１０に対して動揺する。
よって、実習者は、歯科模型１を使用することによって、舌側方向Ｄ３、唇側方向Ｄ４及び近遠心方向Ｄ５のいずれかの１つ以上の方向の歯の動揺度を調べる体験をすることが可能である。
【００４７】
（２）歯周ポケットの深さを読み取る体験
図５に示すように、実習者は、歯肉部２２と歯根部上側面３２１Ａとの境界に沿って、ポケットプローブＰの先端を下方向Ｄ２に移動させる。その結果、ポケットプローブＰの先端は、歯周ポケット凹部２２４に入り込む。
【００４８】
実習者が、更にポケットプローブＰの先端を下方向Ｄ２に移動させると、図５に示すように、ポケットプローブＰの先端は第３弾性部材上壁２１１に到達し、ポケットプローブＰの移動は止まる。図５の状態において、実習者は、ポケットプローブＰの側面に付された目盛りを読取り、歯周ポケット部３３の深さを測定する。よって、実習者は、歯科模型１を使用することによって、歯周ポケットの深さ読取の体験をすることが可能である。
【００４９】
なお、上述したように、歯根部上側面３２１Ａは、全周に渡って、隙間無く第３弾性部材穴内壁２１３と密着している。そのため、ポケットプローブＰの先端が第３弾性部材２１に到達すると、ポケットプローブＰの移動は止まる。よって、第３弾性部材２１は、ポケットプローブＰが歯根部下側面３２１Ｂと歯槽骨穴内壁１０１との間に入り込むことを抑制する。
【００５０】
第１実施形態の歯科模型１は、歯冠部３１及び歯根部３２を有する模型歯３０と、歯槽骨歯根配置穴１０Ａを有する歯槽骨部１０と、を備え、歯槽骨歯根配置穴１０Ａは、歯槽骨穴内壁１０１及び歯槽骨穴底壁１０２から形成されており、歯根部３２は歯槽骨歯根配置穴１０Ａに配置されており、模型歯３０は歯槽骨部１０に対して動揺可能である。そのため、歯科模型１は、実習者に対して、歯の動揺度を調べる体験を提供することが可能である。
【００５１】
また、第１実施形態の歯科模型１において、歯根部３２は、歯槽骨穴内壁１０１に対向する歯根部下側面３２１Ｂを有しており、歯根部下側面３２１Ｂは歯槽骨穴内壁１０１から離間しており、歯根部下側面３２１Ｂと歯槽骨穴内壁１０１との距離が変化可能に構成されていることによって、模型歯３０は歯槽骨部１０に対して動揺可能である。そのため、第１実施形態の歯科模型１は、実習者に対して、舌側方向Ｄ３、唇側方向Ｄ４、近遠心方向Ｄ５のいずれか１つ以上の方向の歯の動揺度を検査する体験を提供することが可能である。
【００５２】
また、模型歯３０の動揺度は、歯根部下側面３２１Ｂと歯槽骨穴内壁１０１との距離を調整することによって、調整可能である。例えば、歯槽骨歯根配置穴１０Ａに配置する模型歯３０を、大きさの異なる模型歯３０と交換ことによって、異なる動揺度を実現することが可能である。また、模型歯３０が配置される歯槽骨部１０を、歯槽骨歯根配置穴１０Ａの大きさが異なる歯槽骨部１０と交換することによって、異なる歯の動揺度を実現することが可能である。
【００５３】
また、模型歯３０が動揺する方向は、歯根部下側面３２１Ｂと歯槽骨穴内壁１０１との位置関係を調整することによって、変更可能である。第１実施形態の歯科模型１Ａにおいては、歯根部下側面３２１Ｂは、全周に渡って歯槽骨穴内壁１０１から離間していた。しかし、例えば、歯根部下側面３２１Ｂと歯槽骨穴内壁１０１とが、舌側方向Ｄ３及び唇側方向Ｄ４だけにおいて離間するように、歯根部下側面３２１Ｂと歯槽骨穴内壁１０１との位置関係が調整されることによって、舌側方向Ｄ３及び唇側方向Ｄ４だけに模型歯３０を動揺させることも可能である。
【００５４】
すなわち、歯科模型１において、歯根部下側面３２１Ｂと歯槽骨穴内壁１０１との離間距離及び離間する部分を調整することにより、模型歯３０の動揺度及び動揺する方向を調整することができる。
【００５５】
また、第１実施形態の歯科模型１は、歯槽骨穴内壁１０１に弾性層１０５が配置されており、歯肉部歯根配置穴２２Ａを有する歯肉部２２であって、歯肉部歯根配置穴２２Ａは歯肉部穴内壁２２３から形成されており、歯槽骨歯根配置穴１０Ａと歯肉部歯根配置穴２２Ａとが互いに連通し、歯槽骨部１０を覆うように配置される歯肉部２２を備えており、歯根部３２は、歯槽骨歯根配置穴１０Ａ及び歯肉部歯根配置穴２２Ａにまたがって配置されている。また、歯肉部２２は、可撓性部材である。そのため、第１実施形態の歯科模型１は、実際の人間の下顎部により近いものとなり、実習者に対して、より現実的な実習体験を提供することが可能である。更に、歯槽骨穴内壁１０１に弾性層１０５が配置されているため、弾性層１０５の硬さを調整することによって、模型歯３０の動揺度を変化させることも可能である。
【００５６】
また、第１実施形態の歯科模型１において、歯根部側面３２１と歯肉部穴内壁２２３との間には、歯周ポケットを模した歯周ポケット凹部２２４が形成されている。そのため、第１実施形態の歯科模型１は、実習者に対して、歯周ポケットの深さを測る体験を提供することが可能である。
【００５７】
また、第１実施形態の歯科模型１において、歯肉部２２と歯槽骨部１０の間に配置されており、第３弾性部材歯根配置穴２１Ａを有する第３弾性部材２１であって、第３弾性部材歯根配置穴２１Ａは第３弾性部材穴内壁２１３から形成されており、第３弾性部材歯根配置穴２１Ａが歯槽骨歯根配置穴１０Ａ及び歯肉部歯根配置穴２２Ａと連通するように歯槽骨部１０に配置される第３弾性部材２１を更に備え、歯根部３２は、歯槽骨歯根配置穴１０Ａ、歯肉部歯根配置穴２２Ａ及び第３弾性部材歯根配置穴２１Ａにまたがって配置され、歯根部３２と第３弾性部材穴内壁２１３とは密着している。よって、第１実施形態の歯科模型１は、実習者に対して、歯周ポケットの深さを正確に測る体験を提供することが可能である。更に、第３弾性部材の硬さを調整することによって、模型歯３０の動揺度を変化させることも可能である。
【００５８】
［第２実施形態］
次に、本発明の第２実施形態について、図６を参照しながら説明する。図６は、本発明の第２実施形態の歯科模型の断面図である。図６は、第１実施形態の図３に対応するものである。第２実施形態については、主として、第１実施形態と異なる点を中心に説明し、第１実施形態と同様な構成については、詳細な説明を省略する。特に説明しない点は、第１実施形態についての説明が適宜適用される。
【００５９】
図６に示すように、第２実施形態の歯科模型１Ａにおいては、歯根底部としての歯根部底面３２２と歯槽骨穴底壁１０２とが離間している。そして、歯根部底面３２２と歯槽骨穴底壁１０２との間には、第１弾性部材としてのバネＳが設けられている。
【００６０】
歯科模型１Ａにおいて、模型歯３０に下方向Ｄ２成分の力が加えられると、バネＳが縮み、模型歯３０は下方向Ｄ２に動く。また、模型歯３０に下方向Ｄ２成分の力が加えられなくなると、バネＳが伸び、模型歯３０は上方向Ｄ１に動く。このとき、歯冠部先端３１Ａの位置は、上下方向で０．２ｍｍ以上変化することが可能である。よって、歯科模型１Ａにおいて、模型歯３０は、上下方向に動揺可能である。
【００６１】
ここで、力が加えられた方向に模型歯３０が動くと、バネＳが変形し、歯根部底面３２２と歯槽骨穴底壁１０２と距離が変化する。すなわち、歯根部底面３２２と歯槽骨穴底壁１０２と距離が変化するようにバネＳが変形可能に構成されることになる。よって、歯科模型１Ａは、歯根部底面３２２と歯槽骨穴底壁１０２と距離が変化するようにバネＳが変形可能に構成されることによって、模型歯３０は歯槽骨部１０に対して動揺可能なものであるといえる。
【００６２】
また、歯科模型１Ａは、第１実施形態の歯科模型１と同様に、歯根部下側面３２１Ｂが全周に渡って歯槽骨穴内壁１０１から離間している。よって、歯科模型１Ａにおいては、舌側方向Ｄ３、唇側方向Ｄ４及び近遠心方向Ｄ５にも動揺可能である。
【００６３】
第２実施形態の歯科模型１Ａは、第１実施形態の歯科模型１が実習者に提供する体験の他に、以下の体験を提供することが可能である。
【００６４】
実習者は、模型歯３０の歯冠部３１をピンセット（図示せず）で掴み、下方向Ｄ２に力を加えると、バネＳが縮み、模型歯３０は、歯根部底面３２２と歯槽骨穴底壁１０２との距離は変化するように下方向Ｄ２に動く。また、実習者が下方向Ｄ２に力を加えることを止めると、バネＳが伸び、模型歯３０は、歯根部底面３２２と歯槽骨穴底壁１０２との距離は変化するように上方向Ｄ１に動く。
【００６５】
なお、第３弾性部材２１の第３弾性部材穴内壁２１３は、歯根部上側面３２１Ａに密着している。しかし、第３弾性部材２１は、可撓性部材で形成されるため、模型歯３０の動きに応じて変形する。また、歯肉部２２の歯肉部穴内壁２２３は、歯根部上側面３２１Ａに密着している。しかし、第３弾性部材２１は、可撓性部材で形成されるため、模型歯３０の動きに応じて変形する。そのため、第３弾性部材２１及び歯肉部２２が模型歯３０の動きを阻害することはない。また、第３弾性部材２１の材質が樹脂の場合、樹脂材質の硬さを調整することによって、模型歯３０の動揺度を変化させることも可能である。
【００６６】
また、模型歯３０の上方向Ｄ１及び下方向Ｄ２の動きによって、歯冠部先端３１Ａの位置は、０．２ｍｍ以上変化する。よって、模型歯３０は、歯槽骨歯根配置穴１０Ａ内において、歯槽骨部１０に対して動揺しているといえる。
【００６７】
以上説明したように、歯根部底面３２２と歯槽骨穴底壁１０２とは離間しており、歯根部底面３２２と歯槽骨穴底壁１０２との間には、バネＳが設けられている。よって、実習者は、歯槽骨歯根配置穴１０Ａ内において、歯根部底面３２２と歯槽骨穴底壁１０２との距離が変化するように模型歯３０を動かすことができる。すなわち、歯根部底面３２２と歯槽骨穴底壁１０２との距離が変化するように模型歯３０が動かされることによって、模型歯３０は歯槽骨部１０に対して動揺する。
【００６８】
よって、実習者は、歯科模型１Ａを使用することによって、上方向Ｄ１及び下方向Ｄ２の歯の動揺度を調べる体験をすることが可能である。また、実習者は、歯科模型１を使用することによって、舌側方向Ｄ３、唇側方向Ｄ４及び近遠心方向Ｄ５のいずれかの１つ以上の方向の動揺度を調べる体験をすることが可能である。
【００６９】
第２実施形態の歯科模型１Ａにおいて、歯根部３２は歯根部底面３２２を有しており、歯根部底面３２２と歯槽骨穴底壁１０２とは離間しており、歯根部底面３２２と歯槽骨穴底壁１０２との間には、バネＳが配置されており、歯根部底面３２２と歯槽骨穴底壁１０２との距離が変化するようにバネＳが変形可能に構成されることによって、模型歯３０は歯槽骨部１０に対して動揺可能である。そのため、第２実施形態の歯科模型１Ａは、実習者に対して、上方向Ｄ１及び下方向Ｄ２の歯の動揺度を検査する体験を提供することが可能である。
【００７０】
また、第２実施形態の歯科模型１Ａは、第１実施形態の歯科模型１と同様に、実習者に対して、舌側方向Ｄ３、唇側方向Ｄ４、近遠心方向Ｄ５等の方向の歯の動揺度を調べる体験も提供可能である。すなわち、第２実施形態の歯科模型１Ａは、実習者に対して、あらゆる方向の歯の動揺度を調べる体験を提供することが可能である。
【００７１】
第１実施形態〜第２実施形態の歯科模型によれば、実習者は、様々な歯の動揺を体験することが可能である。
例えば、歯周病の動揺度を検査する場合、以下の１度〜３度の動揺度が規定されている。
（１）１度：舌側方向Ｄ３及び唇側方向Ｄ４に０．２ｍｍ〜１．０ｍｍ動揺
（２）２度：舌側方向Ｄ３、唇側方向Ｄ４及び近遠心方向Ｄ５に１．０ｍｍ〜２．０ｍｍ動揺
（３）３度：舌側方向Ｄ３、唇側方向Ｄ４、近遠心方向Ｄ５及び上下方向に２．０ｍｍ以上動揺
【００７２】
（１）１度を実現する場合、舌側方向Ｄ３側及び唇側方向Ｄ４側のみにおいて、歯根部下側面３２１Ｂと歯槽骨穴内壁１０１とを離間させ、且つ歯根部底面３２２と歯槽骨穴底壁１０２とを離間させないようにした第１実施形態の歯科模型１（又は第３実施形態の歯科模型１Ｂ）が使用され得る。
【００７３】
（２）２度を実現する場合、舌側方向Ｄ３側、唇側方向Ｄ４側及び近遠心方向Ｄ５において、歯根部下側面３２１Ｂと歯槽骨穴内壁１０１とを離間させ、且つ歯根部底面３２２と歯槽骨穴底壁１０２とを離間させないようにした第１実施形態の歯科模型１（又は第３実施形態の歯科模型１Ｂ）が使用され得る。
【００７４】
（３）３度を実現する場合、舌側方向Ｄ３側、唇側方向Ｄ４側及び近遠心方向Ｄ５において、歯根部下側面３２１Ｂと歯槽骨穴内壁１０１とを離間させ、且つ歯根部底面３２２と歯槽骨穴底壁１０２とを離間させるようにした第２実施形態の歯科模型１Ａが使用され得る。
【００７５】
以上、本発明の実施形態について説明した。しかし、本発明は、上記実施形態に限定されることなく、種々の形態で実施することができる。
【００７６】
第１実施形態〜第２実施形態の説明においては、模型歯３０として、前歯（下顎中切歯）に相当する模型歯を例にとって説明したが、動揺する模型歯３０は、前歯（下顎中切歯）以外の歯（臼歯、犬歯、側切歯等）を模擬した模型歯であってもよい。
【００７７】
また、１４本すべての模型歯３０が動揺可能であってもよいし、一部の模型歯のみが動揺可能であってもよい。また、１４本の模型歯３０の一部又は全部が、あらゆる方向に動揺可能であってもよいし、１４本の模型歯３０の一部又は全部が、舌側方向Ｄ３、唇側方向Ｄ４、近遠心方向Ｄ５等の方向のみの動揺可能であってもよいし、１４本の模型歯３０の一部又は全部が、上方向Ｄ１及び下方向Ｄ２のみに動揺可能であってもよい。また、１４本の模型歯３０の一部が、動揺可能でない構成となっていてもよい。
【００７８】
第１実施形態〜第２実施形態の説明において、歯根部下側面３２１Ｂは、全周に渡って歯槽骨穴内壁１０１から離間していたが、これに限定されない。模型歯３０が、舌側方向Ｄ３、唇側方向Ｄ４及び近遠心方向Ｄ５の方向のいずれか１つ以上の方向に動揺可能であれば、歯根部下側面３２１Ｂは、歯槽骨穴内壁１０１から一部だけ離間していてもよい。
【００７９】
第１実施形態〜第２実施形態の説明においては、第３弾性部材２１は、歯肉部２２よりも硬い部材で形成されてしたが、これに限定されない。第３弾性部材２１は、歯肉部２２と同じ硬さの部材であってもよい。
【００８０】
第１実施形態〜第２実施形態の説明においては、歯槽骨穴内壁１０１には弾性層１０５が配置されていたが、歯槽骨穴内壁１０１に弾性層１０５が配置されていなくてもよい。また、弾性層１０５は、歯槽骨穴内壁１０１の全面ではなく、歯槽骨穴内壁１０１の一部に配置されていてもよい。
【００８１】
第１実施形態〜第２実施形態の説明においては、第３弾性部材２１と歯肉部２２とは、独立した別々の２つの部材で構成されていたが、これに限定されない。第３弾性部材２１と歯肉部２２は、一体化された部材で構成されていてもよい。
【００８２】
第１実施形態〜第２実施形態の説明においては、歯肉部穴内壁２２３には、歯周ポケット凹部２２４が形成されていたが、歯周ポケット凹部２２４は形成されていなくてもよい。
【００８３】
第２実施形態においては、歯根部底面３２２と歯槽骨穴底壁１０２との間にバネＳが設けられていたが、これに限定されない。バネＳは、ゴム、軟質ウレタン樹脂、軟質エポキシ樹脂、チオコールラバー、不飽和ポリエステル樹脂、エラストマー、ナイロン、フッ素樹脂（PTFE）、形状記憶合金等の弾性部材であってもよい。また、バネＳや弾性部材は、歯根部底面３２２及び歯槽骨穴底壁１０２のいずれか一方又は両方に固定されていてもよいし、歯根部底面３２２及び歯槽骨穴底壁１０２に固定されずに歯根部底面３２２と歯槽骨穴底壁１０２との間に配置されていてもよい。
【００８４】
第２実施形態においては、歯根部３２の底部は、歯根部底面３２２であったが、これに限定されない。歯根部３２の底部は、面を形成しない部分（とがった形状の部分等）であってもよい。このとき、歯槽骨穴底部は、歯根部３２の底部に対応する形状の部分であればよく、歯槽骨穴底壁１０２のような壁形状を有さない部分であってもよい。
【００８５】
第２実施形態においては、歯根部底面３２２と歯槽骨穴底壁１０２とが離間すると共に、歯根部下側面３２１Ｂと歯槽骨穴内壁１０１とが離間していたが、これに限定されない。歯根部下側面３２１Ｂと歯槽骨穴内壁１０１とは離間しておらず、歯根部底面３２２と歯槽骨穴底壁１０２とが離間した構造であってもよい。この場合、実習者は、上方向Ｄ１及び下方向Ｄ２の歯の動揺度を検査することが可能である。
【符号の説明】
【００８６】
１、１Ａ、１Ｂ  歯科模型
１０            歯槽骨部
１０Ａ          歯槽骨歯根配置穴
１０１          歯槽骨穴内壁
１０２          歯槽骨穴底壁（歯槽骨穴底部）
１０５          弾性層（第２弾性部材）
２１            第３弾性部材
２１Ａ          第３弾性部材歯根配置穴
２１３          第３弾性部材穴内壁
２２            歯肉部
２２Ａ          歯肉部歯根配置穴
２２３          歯肉部穴内壁
２２４          歯周ポケット凹部（歯周ポケット部）
３０            模型歯
３１            歯冠部
３２            歯根部
３２１          歯根部側面
３２２          歯根部底面（歯根底部）
Ｓ              バネ（第１弾性部材）
【図１】
2016142815.tif 000003
【図２】
2016142815.tif 000004
【図３】
2016142815.tif 000005
【図４】
2016142815.tif 000006
【図５】
2016142815.tif 000007
【図６】
2016142815.tif 000008